(57)【特許請求の範囲】
【請求項１】
電源より電源スイッチを介して表示器に所定電圧の電力を供給する定電圧回路と、
前記定電圧回路の作動を制御する制御トランジスタと、
前記電源スイッチの投入時より前記制御トランジスタの作動を制御する制御手段と、
前記制御トランジスタの制御端子と電源との間に接続された調整用抵抗とを備え、
前記制御手段は、前記電源から電力が常時供給され、前記電源スイッチが投入されてからの準備期間の間に前記電源スイッチの投入を確定し、この準備期間の間、前記制御トランジスタ（１０）をオン、オフ制御しないように構成されたマイクロコンピュータ（９）であって、
前記定電圧回路は、
前記表示器（４３ｂ）に流す電流を制限する電流制限抵抗（Ｒ５）を介して前記表示器に所定電圧の電力を供給する第２トランジスタ（１３ａ）を備え、
前記制御トランジスタ（１０）をオンすることにより、前記第２トランジスタ（１３ａ）の制御端子がロウレベル電位となり、前記第２トランジスタ（１３ａ）をオフすることにより前記表示器（４３ｂ）を消燈し、
前記制御トランジスタ（１０）をオフすることにより、前記第２トランジスタ（１３ａ）の前記制御端子では、前記電源（１８）からの抵抗（Ｒ６）を介した電位がツェナーダイオード（ＺＤ）によりハイレベル電位に維持され、前記第２トランジスタ（１３ａ）をオンすることにより前記表示器（４３ｂ）を点燈し、
前記電源スイッチの投入時より前記マイクロコンピュータ（９）が該投入を確定するまでの準備期間の間、前記制御トランジスタを前記調整用抵抗によってオンに調整するように構成されていることを特徴とする表示装置。
【請求項２】
前記調整抵抗は、前記電源の出力側または接地側に接続されていることを特徴とする請求項１に記載の表示装置。
【請求項３】
前記制御手段は、その出力ポートの入力インピーダンスが、前記準備期間においてハイインピーダンスを呈するように構成されていることを特徴とする請求項１または請求項２に記載の表示装置。
【請求項４】
前記制御手段は、前記準備期間の後に前記調整用抵抗の影響を受けないで前記制御トランジスタの作動を制御できるように構成されていることを特徴とする請求項１ないし請求項３のいずれか一項に記載の表示装置。
【請求項５】
前記調整抵抗が前記電源の出力側に接続され、
前記制御手段は、前記準備期間の後に前記制御トランジスタの前記制御端子をロウレベル電位に制御する際、該制御手段の出力ポートの入力インピーダンスがロウインピーダンスを呈するように構成されていることを特徴とする請求項４に記載の表示装置。
【請求項６】
前記制御トランジスタは、バイポーラ型トランジスタまたは電界効果型トランジスタであり、
前記制御端子は、前記トランジスタがバイポーラ型トランジスタである場合、ベースであり、
前記制御端子は、前記トランジスタが電界効果型トランジスタである場合、ゲートであることを特徴とする請求項１ないし請求項５のいずれか一項に記載の表示装置。
【請求項７】
前記表示器は、液晶表示器と指針計器と所定の情報を知らせるインジケータとの少なくともいずれかであることを特徴とする請求項１ないし請求項６のいずれか一項に記載の表示装置。
【請求項８】
前記制御トランジスタの作動を制御することにより、前記液晶表示器の透過照明用光源と前記指針計器の文字盤の透過照明用光源と該指針計器の指針の発光照明用光源と前記インジケータの透過照明用光源との少なくともいずれかを点燈・消燈することを特徴とする請求項７に記載の表示装置。
【発明の詳細な説明】
【技術分野】
【０００１】
本発明は、表示装置に関するものであり、特に、車両用表示装置に用いて好適である。
【背景技術】
【０００２】
表示器に所定電圧の電力を供給する定電圧回路と、この定電圧回路の作動を制御する制御トランジスタと、この制御トランジスタの作動を制御するマイクロコンピュータとを備えた車両用表示装置が知られている。定電圧回路は、電源（車載バッテリ）より電源スイッチ（イグニッションスイッチ）を介して、表示器に所定電圧の電力を供給するものであり、マイクロコンピュータは、イグニッションスイッチの投入（オン）時より、この制御トランジスタの作動を制御するものである。
【発明の開示】
【発明が解決しようとする課題】
【０００３】
しかし、イグニッションスイッチをオンしても、マイクロコンピュータは、これを確定（判定）するまでに例えば６０ミリ秒（ｍＳ）の時間を要する。
【０００４】
一般に、マイクロコンピュータは、イグニッションスイッチがオンされたことを誤判断しないように、イグニッションスイッチの端子電位を例えば２０ミリ秒毎に３回検出して、これを確定する。マイクロコンピュータは、この（６０ｍＳ）後に、制御トランジスタの制御を開始する。
【０００５】
この（６０ｍＳ）間、マイクロコンピュータの出力ポートが、入力インピーダンスがハイインピーダンスの不定状態を呈し、これにより、制御トランジスタは、所望の作動状態とならない。しかも、この（６０ｍＳ）間、イグニッションスイッチがオンされているため、定電圧回路は、バッテリよりイグニッションスイッチを介して、表示器に所定電圧の電力を供給し得る状態にある。この結果、定電圧回路および表示器が意に反した作動を行い、例えば、表示器の透過照明用光源が瞬燈する等の問題が生ずることがある。
【０００６】
ここで、表示器は、液晶パネルに限るものではなく、指針計器と所定の情報を知らせるインジケータ等を含む。表示器の透過照明用光源は、液晶パネルの透過照明用光源に限るものではなく、指針計器の文字盤の透過照明用光源と指針計器の指針の発光照明用光源とインジケータの透過照明用光源等を含む。
【０００７】
この問題は、表示器の透過照明用光源が瞬燈することに限るものではなく、液晶パネル自身の瞬時の不要な表示等も含む表示器の誤動作に共通するものである。
【０００８】
本発明は、上記点に鑑みなされたものであり、電源スイッチの投入時に表示器が誤動作をすることを確実に防ぐことができる表示装置を提供することを目的とする。
【課題を解決するための手段】
【０００９】
本発明は上記目的を達成するため、以下の技術的手段を採用する。
【００１０】
請求項１に記載の表示装置は、電源より電源スイッチを介して表示器に所定電圧の電力を供給する定電圧回路と、定電圧回路の作動を制御する制御トランジスタと、電源スイッチの投入時より制御トランジスタの作動を制御する制御手段と、制御トランジスタの制御端子と電源との間に接続された調整用抵抗とを備え、制御手段は、電源から電力が常時供給され、電源スイッチが投入されてからの準備期間の間に電源スイッチの投入を確定し、この準備期間の間、制御トランジスタ（１０）をオン、オフ制御しないように構成されたマイクロコンピュータ（９）であって、定電圧回路は、表示器（４３ｂ）に流す電流を制限する電流制限抵抗（Ｒ５）を介して表示器に所定電圧の電力を供給する第２トランジスタ（１３ａ）を備え、制御トランジスタ（１０）をオンすることにより、第２トランジスタ（１３ａ）の制御端子がロウレベル電位となり、第２トランジスタ（１３ａ）をオフすることにより表示器（４３ｂ）を消燈し、制御トランジスタ（１０）をオフすることにより、第２トランジスタ（１３ａ）の制御端子では、電源（１８）からの抵抗（Ｒ６）を介した電位がツェナーダイオード（ＺＤ）によりハイレベル電位に維持され、第２トランジスタ（１３ａ）をオンすることにより表示器（４３ｂ）を点燈し、電源スイッチの投入時よりマイクロコンピュータ（９）がその投入を確定するまでの準備期間の間、制御トランジスタを調整用抵抗によってオンに調整するように構成されている構成とする。
【００１１】
この構成では、電源スイッチの投入時より制御手段がその投入を確定するまでの準備期間の間、制御トランジスタを調整用抵抗によってオンに調整する。これにより、この準備期間の間は、制御手段に頼ることなく、調整用抵抗によって制御トランジスタの作動状態を設定できる。この結果、電源スイッチの投入時に表示器が誤動作をすることを確実に防ぐことができる。
【００１２】
請求項２に記載の表示装置は、調整抵抗が、電源の出力側または接地側に接続されている構成とする。
【００１３】
この構成では、調整抵抗が、電源の出力側または接地側に接続されている。これにより、調整抵抗が電源の出力側に接続されている場合は、調整抵抗がプルアップ抵抗として作用することによって上述の効果が得られ、調整抵抗が電源の接地側に接続されている場合は、調整抵抗がプルダウン抵抗として作用することによって上述の効果が得られる。
【００１４】
請求項３に記載の表示装置は、制御手段が、その出力ポートの入力インピーダンスが、準備期間においてハイインピーダンスを呈するように構成されている構成とする。
【００１５】
この構成では、制御手段の出力ポートの入力インピーダンスが、準備期間においてハイインピーダンスを呈する。これにより、制御トランジスタの作動状態を、制御手段の出力ポートの入力インピーダンスの影響を受けないで、調整用抵抗により設定できる。この結果、上述の効果を、簡易に得ることができる。
【００１６】
請求項４に記載の表示装置は、制御手段が、準備期間の後に、調整用抵抗の影響を受けないで制御トランジスタの作動を制御できるように構成されている構成とする。
【００１７】
この構成では、制御手段が準備期間の後に、調整用抵抗の影響を受けないで制御トランジスタの作動を制御できる。これにより、制御手段による制御トランジスタの制御が調整抵抗により妨げられないで、上述の効果を得ることができる。
【００１８】
請求項５に記載の表示装置は、調整抵抗が電源の出力側に接続され、制御手段が、準備期間の後に制御トランジスタの制御端子をロウレベル電位に制御する際、制御手段の出力ポートの入力インピーダンスがロウインピーダンスを呈するように構成されている構成とする。
【００１９】
この構成では、調整抵抗は、電源の出力側に接続されているため、準備期間の後においても制御トランジスタの制御端子をハイレベル電位に制御しようとする。この時、制御手段が、制御トランジスタの制御端子をロウレベル電位に制御する場合、調整抵抗による制御と相反するため、その影響を受けることになる。
【００２０】
しかし、制御トランジスタの制御端子をロウレベル電位に制御する際、制御手段の出力ポートの入力インピーダンスがロウインピーダンスを呈するように構成されている。このため、調整抵抗による制御端子の電位は、制御手段の出力ポートの入力インピーダンスを介してロウレベル電位に降下する。この結果、制御手段による制御トランジスタの制御が調整抵抗により妨げられないで、上述の効果を得ることができる。
【００２１】
請求項６に記載の表示装置は、制御トランジスタが、バイポーラ型トランジスタまたは電界効果型トランジスタであり、制御端子が、トランジスタがバイポーラ型トランジスタである場合、ベースであり、制御端子が、トランジスタが電界効果型トランジスタである場合、ゲートである構成とする。
【００２２】
この構成においても、上述の効果を得ることができる。
【００２３】
請求項７に記載の表示装置は、表示器が、液晶表示器と指針計器と所定の情報を知らせるインジケータとの少なくともいずれかである構成とする。
【００２４】
この構成においても、上述の効果を得ることができる。
【００２５】
請求項８に記載の表示装置は、制御トランジスタの作動を制御することにより、液晶表示器の透過照明用光源と指針計器の文字盤の透過照明用光源と指針計器の指針の発光照明用光源とインジケータの透過照明用光源との少なくともいずれかを点燈・消燈する構成とする。
【００２６】
この構成においても、上述の効果を得ることができる。
【発明を実施するための最良の形態】
【００２７】
以下、本発明による表示装置を、自動車に搭載されるコンビネーションメータに適用した場合を例に図面に基づいて説明する。
【００２８】
（構成）
図１は、本発明の一実施形態による表示装置であるコンビネーションメータ１の正面図である。
【００２９】
図２は、図１中のＩＩ−ＩＩ線断面図である。
【００３０】
図３は、図１に示すコンビネーションメータ１の電気回路を説明する回路構成図である。
【００３１】
図４は、図３中のＩＶ部の詳細回路図である。
【００３２】
コンビネーションメータ１は、自動車の運転席前方に配置されて当該自動車に関する各種情報を表示し、本実施形態では、図１に示すように、走行速度を表示する速度計２と、エンジン回転数を表示する回転計３と、トランスミッションのギアポジションを表示するギアポジション表示器４を構成する。
【００３３】
速度計２は、文字盤２１と、この前面を回動する指針２２と、文字盤２１の背後に配置されて指針２２を回動させるムーブメント２３（図３）とから構成される。ムーブメント２３は、例えば交差コイル式アクチュエータ、あるいはステッピングモータ等から構成され、外部からの電気信号（車速信号）に対応した角度だけ指針２２を回動させるものである。
【００３４】
回転計３も、速度計２と同様に、文字盤３１と、この前面を回動する指針３２と、文字盤３１の背後に配置されて指針３２を回動させるムーブメント３３（図３）とから構成される。
【００３５】
表示器であるギアポジション表示器４は、各ギアポジションを示すポジション表示４１と、ギアインジケータ４２と、液晶パネル４３とから構成される。
【００３６】
各ギアインジケータ４２は、それぞれ、各ポジション表示４１に隣接して配置され、これに隣接しているポジション表示４１が示すギアポジションに切り替えられた際に、これを知らせるものである。ギアインジケータ４２は、アクリルレンズ等で形成され、この背後には、それぞれこれを透過照明する発光ダイオードが配置される。ギアインジケータ４２は、この発光ダイオードが点燈して、ギアインジケータ４２が発光表示されることにより、このギアポジションに切り替えられていることを知らせるものである。
【００３７】
液晶パネル４３は、ドライブポジションＤにおいてドライブレンジ（１速から４速）の切り替えを表示するものである。ポジション表示４１とギアインジケータ４２と液晶パネル４３は、文字盤２１、３１の各端部を隠すための意匠プレート５に設けられた各開口部に配置される。
【００３８】
液晶パネル４３には、ドライブレンジを表示するセグメントが形成されている。本実施形態における液晶パネル４３は、例えば、電圧無印加時には透光性となり、電圧印加時には遮光性となるものを使用する。すなわち、電圧無印加時には全体が透光性となり、電圧印加時には、所定のセグメントが黒色となり、所定の数字を表示する。なお、図１は、各セグメントの全てに電圧を印加していない状態を示す。
【００３９】
液晶パネル４３の背後には、図２に示すように、これを透過照明する透過照明用光源である発光ダイオード（ＬＥＤ）４３ｂと、発光ダイオード４３ｂの発する光を拡散して液晶パネル４３を均一に透過照明する光拡散板４３ａが配置される。リフレクタ６は、発光ダイオード４３ｂの発する光を光拡散板４３ａへ導くものである。
【００４０】
上述したムーブメント２３，３３や発光ダイオード４３ｂ等は、プリント基板７に実装され、液晶パネル４３は、図示しない配線によってプリント基板７に接続される。
【００４１】
以上説明した本実施形態による制御装置８備えたコンビネーションメータ１の電気回路構成について、図３に基づいて説明する。
【００４２】
制御装置８には、電源であるバッテリ１８から電力が常時供給され、イグニッションスイッチ１７がその操作ポジション（オフポジション、オンポジション）を検出可能に接続され、当該自動車の走行速度を検出する速度センサ１４やエンジン回転数を検出する回転センサ１５やトランスミッションのギアポジションを検出するギアポジションセンサ１６が、それらの検出信号を入力可能に接続される。
【００４３】
また、車速センサ１４と回転センサ１５からの検出信号に応じて制御装置８によって駆動されるムーブメント２３、３３、液晶パネル４３、発光ダイオード４３ｂも、制御装置８に接続される。
【００４４】
次に、制御装置８が発光ダイオード４３ｂを点燈・消燈させる電気回路構成について、即ち、本発明の特徴について、図４に基づいて詳細に説明する。
【００４５】
制御装置８は、定電圧回路１３と、制御トランジスタである第１トランジスタ１０と、制御手段であるマイクロコンピュータ９と、調整用抵抗であるプルアップ抵抗１１とを備える。
【００４６】
定電圧回路１３は、バッテリ１８よりイグニッションスイッチ１７を介して表示器であるギアポジション表示器４等（図４においては、発光ダイオード４３ｂ）に所定電圧の電力を供給するものである。第１トランジスタ１０は、ＮＰＮ型トランジスタであり、定電圧回路１３の作動を制御するものである。
【００４７】
マイクロコンピュータ９は、その出力ポートＰＯが抵抗Ｒ４を介して第１トランジスタ１０の制御端子であるベースＢと接続され、イグニッションスイッチ１７の投入（オン）時より第１トランジスタ１０の作動を制御（オン・オフ）するものである。
【００４８】
プルアップ抵抗１１は、その一端が抵抗Ｒ４を介して第１トランジスタ１０のベースＢに接続され、その他端がイグニッションスイッチ１７を介してとバッテリ１８に接続され、第１トランジスタ１０のベースＢとバッテリ１８との間に接続される。
【００４９】
制御装置８は、第１トランジスタ１０をオン・オフ制御することにより透過照明用光源である発光ダイオード４３ｂの作動を制御（点燈・消燈）する。
【００５０】
制御装置８のマイクロコンピュータ９は、セントラルプロセッサユニット（ＣＰＵ）９１、メモリ９２と入出力切替端子（Ｉ／Ｏポート）９３等を備える。Ｉ／Ｏポート９３は、第１電界効果型トランジスタ（第１ＦＥＴ）９３ａと第２電界効果型トランジスタ（第２ＦＥＴ）９３ｂとを備える。
【００５１】
ＣＰＵ９１は、第１ＦＥＴ９３ａと第２ＦＥＴ９３ｂのオン・オフ制御等をするものであり、メモリ９２は、ＣＰＵ９１の作動をプログラムとして記憶する電気的に書き換え可能な不揮発性メモリもしくはバックアップＲＡＭ（ランダムアクセスメモリ）等を含むものである。
【００５２】
イグニッションスイッチ１７のオフポジション時においても、バッテリ１８から電力が、ダイオードＤ２とバッテリ１８の電圧を５ボルトに変換する電源回路１２を介して、マイクロコンピュータ９の電源端子ＶＤに常時供給される。イグニッションスイッチ１７がオンポジションへ操作されると、バッテリ１８の電圧が抵抗Ｒ１、Ｒ２で分割されて、その分割電圧が、起動信号として入力端子ＰＩに入力する。
【００５３】
マイクロコンピュータ９は、イグニッションスイッチ１７がオンされたことを誤判断しないように、この起動信号を例えば２０ミリ秒毎に３回検出して、イグニッションスイッチ１７がオンされたことを判断する。マイクロコンピュータ９は、イグニッションスイッチ１７がオンされてから６０ミリ秒の間、即ち、イグニッションスイッチ１７のオン時よりマイクロコンピュータ９がその投入を確定するまでの準備期間の間、つまり、この遅れ時間の間、第１トランジスタ１０をオン・オフ制御しないように構成されている。
【００５４】
この準備期間の間、バッテリ１８の電圧は、オンされているイグニッションスイッチ１７とプルアップ抵抗１１とを介して第１トランジスタ１０のベースＢに印加される。即ち、制御装置８は、この準備期間の間、第１トランジスタ１０をプルアップ抵抗１１によって決定される所定状態に調整するように構成されている。
【００５５】
第１トランジスタ１０のコレクタＣは、第２トランジスタ１３ａのベースＢに接続され、第１トランジスタ１０をオン・オフ制御することにより、第２トランジスタ１３ａをオン・オフ制御する。第２トランジスタ１３ａをオン・オフ制御することにより、発光ダイオード４３ｂを点燈・消燈する。抵抗Ｒ５は、発光ダイオード４３ｂに流す電流を制限する電流制限抵抗である。
【００５６】
（作動）
図５は、図４に示すイグニッションスイッチ（Ｉ／Ｇ）１７、マイクロコンピュータ（マイコン）９の出力端子ＰＯ、第１トランジスタ（Ｔｒ１）１０、第２トランジスタ（Ｔｒ２）１３ａ、及び、発光ダイオード（ＬＥＤ）４３ｂの各制御を示すタイムチャートである。
【００５７】
以上説明した本実施形態による表示装置であるコンビネーションメータ１の作動について、制御装置８が発光ダイオード４３ｂを点燈・消燈させる作動を中心に説明する。
【００５８】
尚、制御装置８のマイクロコンピュータ９では、メモリ９２に記憶されたプログラムに従って、ＣＰＵ９１が以下の制御を行う。
【００５９】
イグニッションスイッチ１７がオンされると、図３において、制御装置８は、それを検出して作動を開始する。具体的に、イグニッションスイッチ１７がオンポジションへ操作されると、図４に示すように、バッテリ１８の電圧が抵抗Ｒ１、Ｒ２で分割されて、その分割電圧が、起動信号として入力端子ＰＩに入力する。ＣＰＵ９１は、この起動信号を２０ミリ秒毎に３回検出して、イグニッションスイッチ１７がオンされたことを判断する。
【００６０】
この判断後、速度センサ１４からの出力信号に基づき、当該自動車の車速を算出し、これに対応した角度だけ指針２２を回動させるように、ムーブメント２３を駆動する。また、回転センサ１５からの出力信号に基づき、当該自動車のエンジンの回転数を算出し、これに対応した角度だけ指針３２を回動させるように、ムーブメント３３を駆動する。ギアポジションセンサ１６からの出力信号に基づき、ギヤインジケータ４２の発光ダイオードを点燈し、液晶パネル４３を制御し、発光ダイオード４３ｂを点燈する。
【００６１】
以下、制御装置８が発光ダイオード４３ｂを点燈・消燈させる作動を、図４と図５に基づいて説明する。
【００６２】
ＣＰＵ９１は、イグニッションスイッチ（Ｉ／Ｇ）１７がオン（ＯＮ）されてから６０ミリ秒（ｍＳ）の間、即ち、この準備期間の間、第１ＦＥＴ９３ａと第２ＦＥＴ９３ｂを、共にオフし、これにより、出力端子ＰＯの入力インピーダンスを、ハイインピーダンスな状態（入力インピーダンスが１メガオーム以上の不定な状態）にしている。即ち、マイクロコンピュータ（マイコン）９は、この準備期間では第１トランジスタ（Ｔｒ１）１０をオン・オフ（ＯＮ／ＯＦＦ）制御していない。
【００６３】
一方、イグニッションスイッチ１７がオンされると、バッテリ１８の電圧が、プルアップ抵抗１１を介して第１トランジスタ１０のベースＢに印加される。マイクロコンピュータ９が第１トランジスタ１０をオン・オフ制御していない際（準備期間）、マイクロコンピュータ９の出力端子ＰＯの入力インピーダンスがハイインピーダンスな状態である。
【００６４】
このため、プルアップ抵抗１１を介した第１トランジスタ１０のベースＢの電位は、マイクロコンピュータ９の出力端子ＰＯの影響を受けることがない。即ち、第１トランジスタ１０の作動状態を、マイクロコンピュータ９の出力端子ＰＯの入力インピーダンスの影響を受けないで、プルアップ抵抗１１により設定できる。
【００６５】
具体的には、バッテリ１８の電圧がプルアップ抵抗１１を介して第１トランジスタ１０のベースＢに印加されることにより、第１トランジスタ１０のコレクタＣとエミッタＥ間に電流が流れ、第１トランジスタ１０をオン（ＯＮ）する。これにより、第２トランジスタ（Ｔｒ２）１３ａのベースＢがロウレベル電位となり、第２トランジスタ１３ａのコレクタＣとエミッタＥ間に電流が流れなくて、第２トランジスタ１３ａをオフ（ＯＦＦ）する。これにより、発光ダイオード（ＬＥＤ）４３ｂを、消燈（ＯＦＦ）している。
【００６６】
マイクロコンピュータ９が第１トランジスタ１０をオン・オフ制御していない状態（（準備期間））が終了した後、発光ダイオード４３ｂを、引き続き消燈させたい場合、ＣＰＵ９１は、第１ＦＥＴ９３ａのみオンさせ、第２ＦＥＴ９３ｂをオフさせて、その出力端子ＰＯをハイレベル電位（Ｈｉ）にさせる。
【００６７】
これにより、第１トランジスタ１０のベースＢを、引き続きハイレベル電位にさせて、第１トランジスタ１０を引き続きオンする。この際、バッテリ１８からのプルアップ抵抗１１を介した電位も、第１トランジスタ１０をオンするように作用するため、マイクロコンピュータ９のこの作動を妨げない。
【００６８】
マイクロコンピュータ９が準備期間（６０ｍＳ）にある場合と同様に、第１トランジスタ１０をオンすることにより、第２トランジスタ１３ａのベースＢがロウレベル電位となり、第２トランジスタ１３ａをオフする。これにより、発光ダイオード４３ｂを、引き続き消燈する。
【００６９】
この後、ＣＰＵ９１は、第２ＦＥＴ９３ｂのみオンさせ、出力端子ＰＯをグランド電位（ロウレベル電位、Ｌｏ）にさせる。これにより、第１トランジスタ１０のベースＢがグランド電位になり、第１トランジスタ１０をオフ（ＯＦＦ）する。
【００７０】
この際、出力端子ＰＯの入力インピーダンスを、ロウインピーダンスな状態（入力インピーダンスが数十ミリオーム以下）にするため、バッテリ１８からのプルアップ抵抗１１を介した電位は、出力端子ＰＯを介して降下して、グランド電位（ロウレベル電位）になる。これにより、マイクロコンピュータ９が第１トランジスタ１０をオフする制御が、プルアップ抵抗１１により妨げられない。
【００７１】
第１トランジスタ１０をオフすることにより、第２トランジスタ１３ａのベースＢでは、バッテリ１８からの抵抗Ｒ６を介した電位がツェナーダイオードＺＤによりハイレベル電位に維持され、これにより、第２トランジスタ１３ａをオン（ＯＮ）する。このため、発光ダイオード４３ｂを、点燈（ＯＮ）する。
【００７２】
これに対して、プルアップ抵抗１１がない場合、図５において、マイクロコンピュータ９の準備期間（６０ｍＳ）の間、第１トランジスタ１０がオフして、第２トランジスタ１３ａをオンし、これにより、発光ダイオード４３ｂを点燈する。この準備期間（６０ｍＳ）の後、ＣＰＵ９１は、第１ＦＥＴ９３ａのみオンさせ、第２ＦＥＴ９３ｂをオフさせて、その出力端子ＰＯをハイレベル電位（Ｈｉ）にさせる。これにより、第１トランジスタ１０をオンし、第２トランジスタ１３ａをオフして、発光ダイオード４３ｂを消燈する。
【００７３】
即ち、発光ダイオード４３ｂは、イグニッションスイッチ１７がオンされてから６０ｍＳの間点燈し、その後消灯するという、瞬燈の問題が生ずる。
【００７４】
本実施形態では、プルアップ抵抗１１を設けるのみにより、この瞬燈の問題を解決すると共に、マイクロコンピュータ９の準備期間（６０ｍＳ）の後、マイクロコンピュータ９は、プルアップ抵抗１１の影響を受けないで第１トランジスタ１０の作動を制御できる。
【００７５】
以上説明した本発明の一実施形態による表示装置であるコンビネーションメータ１は、電源であるバッテリ１８より電源スイッチであるイグニッションスイッチ１７を介して表示器であるギアポジション表示器４（４３ｂ）に所定電圧の電力を供給する定電圧回路１３と、定電圧回路１３の作動を制御する制御トランジスタである第１トランジスタ１０と、イグニッションスイッチ１７の投入時より第１トランジスタ１０の作動を制御する制御手段であるマイクロコンピュータ９と、第１トランジスタ１０の制御端子であるベースＢとバッテリ１８との間に接続された調整用抵抗であるプルアップ抵抗１１とを備え、イグニッションスイッチ１７の投入時よりマイクロコンピュータ９がその投入を確定するまでの準備期間（６０ｍＳ）の間、第１トランジスタ１０をプルアップ抵抗１１によって決定される所定状態に調整するように構成されている。
【００７６】
これにより、この準備期間の間は、制御手段に頼ることなく、調整用抵抗によって制御トランジスタの作動状態を設定できる。この結果、電源スイッチの投入時に表示器が誤動作をすることを確実に防ぐことができる。
【００７７】
（変形例）
図６は、図４の変形例を示す詳細回路図である。
【００７８】
図６に示す変形例では、ＮＰＮ型のバイポーラタイプの第１トランジスタ１０の代わりにＰＮＰ型のバイポーラタイプの第１トランジスタ１０を用い、これに伴い、プルアップ抵抗１１の代わりにプルダウン抵抗１１を用いている。
【００７９】
この変形例でも、マイクロコンピュータ９が第１トランジスタ１０をオン・オフ制御していない状態（準備期間の間）では、上述したように、出力端子ＰＯの入力インピーダンスが、ハイインピーダンスな状態（入力インピーダンスが１メガオーム以上の不定な状態）となっている。しかし、この場合、第１トランジスタ１０のベースＢは、プルダウン抵抗１１を介してグランド電位（ロウレベル電位）になり、第１トランジスタ１０をオンする。
【００８０】
第１トランジスタ１０をオンすることにより、第２トランジスタ１３ａのベースＢがロウレベル電位となり、第２トランジスタ１３ａをオフする。これにより、発光ダイオード４３ｂを、消燈する。
【００８１】
即ち、制御装置８を図６に示すように構成することにより、即ち、プルダウン抵抗１１を追加するのみにより、発光ダイオード４３ｂの瞬燈の問題を解決すると共に、マイクロコンピュータ９の準備期間（６０ｍＳ）の後、マイクロコンピュータ９は、プルダウン抵抗１１の影響を受けないで第１トランジスタ１０の作動を制御できる。
【００８２】
尚、第１トランジスタ１０をバイポーラ型に限る必要はなく、電界効果型（ＦＥＴ）を用いることができる。
【００８３】
また、第１トランジスタ１０の作動を制御することにより、液晶パネル４３の透過照明用光源である発光ダイオード４３ｂを点燈・消燈する場合に限る必要はなく、ギアインジケータ４２用の発光ダイオードや、速度計２の文字盤２１の透過照明用光源や指針２２の発光照明用光源等を点燈・消燈する場合等にも、本発明を適用することができる。
【図面の簡単な説明】
【００８４】
【図１】図１は、本発明の一実施形態による表示装置であるコンビネーションメータ１の正面図である。
【図２】図２は、図１中のＩＩ−ＩＩ線断面図である。
【図３】図３は、図１に示すコンビネーションメータ１の電気回路を説明する回路構成図である。
【図４】図４は、図３中のＩＶ部の詳細回路図である。
【図５】図５は、図４に示すイグニッションスイッチ（Ｉ／Ｇ）１７、マイクロコンピュータ（マイコン）９の出力端子ＰＯ、第１トランジスタ（Ｔｒ１）１０、第２トランジスタ（Ｔｒ２）１３ａ、及び、発光ダイオード（ＬＥＤ）４３ｂの各制御を示すタイムチャートである。
【図６】図６は、図４の変形例を示す詳細回路図である。
【符号の説明】
【００８５】
１  コンビネーションメータ（表示装置）
２  速度計、２１  文字盤、２２  指針、２３  ムーブメント
３  回転計、３１  文字盤、３２  指針、３３  ムーブメント
４  ギアポジション表示器（表示器）、４１  ポジション表示、４２  ギアインジケータ
４３  液晶パネル、４３ａ  光拡散板
４３ｂ  発光ダイオード（ＬＥＤ、透過照明用光源）
５  意匠板、６  リフレクタ、７  プリント基板、８  制御装置
９  マイクロコンピュータ（マイコン、制御手段）
９１  ＣＰＵ（セントラルプロセッサユニット）、９２  メモリ
９３  Ｉ／Ｏポート（入出力切替端子）
９３ａ  第１ＦＥＴ（第１電界効果型トランジスタ）
９３ｂ  第２ＦＥＴ（第２電界効果型トランジスタ）
１０  第１トランジスタ（制御トランジスタ、Ｔｒ１）
１１  プルアップ抵抗（プルダウン抵抗、調整用抵抗）
１２  電源回路、  １３  定電圧回路、１３ａ  第２トランジスタ（Ｔｒ２）
１４  速度センサ、１５  回転センサ、１６  ギアポジションセンサ
１７  イグニッションスイッチ（Ｉ／Ｇ）、１８  バッテリ（電源）
【図１】
0004626451.tif 000002
【図２】
0004626451.tif 000003
【図３】
0004626451.tif 000004
【図４】
0004626451.tif 000005
【図５】
0004626451.tif 000006
【図６】
0004626451.tif 000007